(57)【特許請求の範囲】
【請求項１】
観察対象部位の像を撮像する固体撮像素子と、
前記固体撮像素子を保持する枠体である素子枠と、
前記固体撮像素子を駆動する回路を構成する回路基板と、
前記素子枠に接続され且つ前記回路基板を保護するシールド枠と、
少なくとも一部が前記シールド枠内に配設されると共に当該シールド枠より基端側に向けて延出し、前記固体撮像素子で撮像した像の画像信号を伝送する信号ケーブルと、
を備え、
前記シールド枠に一体的に形成され当該シールド枠の基端側に向けて延設し、当該シールド枠より延出する前記信号ケーブルの当該延出角度を規定するために当該シールド枠の中心軸に向けて所定の角度をなして傾斜した舌片を設け、この舌片に前記信号ケーブルを固定したことを特徴とする内視鏡。
【発明の詳細な説明】
【０００１】
【発明の属する技術分野】
本発明は、挿入部の先端部に被写体を撮像する固体撮像素子を有する内視鏡に関する。
【０００２】
【従来の技術】
内視鏡の挿入部の先端部に観察対象部位を撮像するＣＣＤ等の固体撮像素子を備え、撮像した像の画像信号を得てモニタ等で観察したり、ＶＴＲ等の画像記録装置に記録したりすることのできる内視鏡である電子内視鏡が種々提案され、最近では一般に用いられるようになってきている。
【０００３】
固体撮像素子を挿入部の先端部に内蔵した内視鏡は、例えば特開平４−３１３７１７号に提案されているように、固体撮像素子の前方には対物レンズを組み付け、固体撮像素子の後方に固体撮像素子を駆動する回路を構成する回路基板を設け、前記回路基板に挿入部内を挿通して基端側まで画像信号を伝送する複数の信号線を束ねた信号ケーブルを接続した構成のものが一般的である。
【０００４】
【発明が解決しようとする課題】
しかしながら、前述したような従来の内視鏡は、回路基板と信号ケーブルとの接続部分や固体撮像素子と回路基板との接続部分の耐久性は特に考慮されておらず、挿入部の湾曲部の湾曲操作、挿入部のねじり等により信号ケーブルに引張り応力・ねじり応力・あおり応力等といった応力が集中的に生じ、回路基板と信号ケーブルとの接続部分や固体撮像素子と回路基板との接続部分で断線や接触不良が生じることがあった。この場合、画像にノイズが増えたり、画像が映らなくなる等の問題が生じる恐れがあった。
【０００５】
本発明は、上記事情に鑑みてなされたものであり、回路基板や信号ケーブルや固体撮像素子の間の接続部分に生じる応力を軽減し、これらの接続部分での接触不良や断線を防ぐことができる内視鏡を提供することを課題とする。
【０００６】
【課題を解決するための手段】
本発明による内視鏡は、観察対象部位の像を撮像する固体撮像素子と、前記固体撮像素子を保持する枠体である素子枠と、前記固体撮像素子を駆動する回路を構成する回路基板と、前記素子枠に接続され且つ前記回路基板を保護するシールド枠と、少なくとも一部が前記シールド枠内に配設されると共に当該シールド枠より基端側に向けて延出し、前記固体撮像素子で撮像した像の画像信号を伝送する信号ケーブルと、を備え、前記シールド枠に一体的に形成され当該シールド枠の基端側に向けて延設し、当該シールド枠より延出する前記信号ケーブルの当該延出角度を規定するために当該シールド枠の中心軸に向けて所定の角度をなして傾斜した舌片を設け、この舌片に前記信号ケーブルを固定している。
【０００７】
本発明の内視鏡では、信号ケーブルをシールド枠に設けられた舌片に固定することによって信号ケーブルの突出方向を固定することができ、回路基板や信号ケーブルや固体撮像素子の間の接続部分に生じる応力を軽減することができる。
【０００８】
【発明の実施の形態】
以下、図面を参照して本発明の実施の形態を説明する。
【０００９】
（第１の実施の形態）
図１ないし図３は本発明の第１の実施の形態に係り、図１は電子内視鏡の構成図（（Ａ）は電子内視鏡の本体、（Ｂ）は外部接続装置類）、図２は先端部の構成を説明する一部断面図を含む説明図、図３は対物光学系ユニットと信号ケーブルの接続部分の構成を説明する説明図である。但し、図２中の丸印（○）や三角印（△）で埋められている箇所は、接着剤等が充填されていることを表している。
【００１０】
図１に示すように、電子内視鏡１は、観察対象部位へ挿入する細長の挿入部２、この挿入部２の基端部に連設された把持部を兼ねる操作部３、この操作部３の側部より延設された信号ケーブルやライトガイド等を内蔵したユニバーサルコード４、このユニバーサルコード４の端部に設けられたコネクタ部５等から主に構成される。
【００１１】
電子内視鏡１は、コネクタ部５を介して、外部の光源装置６、ビデオプロセッサ７に着脱自在に接続され、観察画像をモニタ８に表示すること等ができるようになっている。
【００１２】
また、ビデオプロセッサ７には、図示しないＶＴＲデッキ、ビデオプリンタ、ビデオディスク、画像ファイル記録装置等を接続できるようになっている。
【００１３】
挿入部２は、挿入部２の先端に位置する先端部９、所望の角度に湾曲可能な湾曲部１０、可撓性を有する可撓管部１１が連設されて構成されている。
【００１４】
操作部３には、観察画像のフリーズ、レリーズ、ＶＴＲ記録、プリンタ出力等といった操作を指示するためのリモートスイッチ１２、送気・送水操作を行う送気・送水ボタン１３、吸引操作を行う吸引ボタン１４、湾曲部１０の湾曲操作を行う湾曲操作ノブ１５等が設けられている。
【００１５】
コネクタ部５には、光源装置６に着脱自在に接続するためのライトガイド端部１６が先端より突設されており、また、側部には、ビデオプロセッサ７から延出する接続コード１８を着脱自在に接続するための電気コネクタ１７が設けられている。また、コネクタ部５には、加圧管１９、送水管２０、吸引口金２１が設けられており、図示しない流体制御装置や吸引装置に接続されるようになっている。
【００１６】
図２に示すように、先端部９は、例えばステンレス等の金属により略円柱状に形成された先端部本体２２を備えており、この先端部本体２２の先端側外周には樹脂等により形成された先端カバー２３が装着されている。
【００１７】
また、先端部本体２２には、対物光学系ユニット２４と説明省略するライトガイドの先端部及び照明レンズ、図示しない鉗子チャンネル、送気・送水ノズル及び送気・送水チャンネルが組み付けられている。
【００１８】
一方、湾曲部１０は、金属等で筒状に形成された複数の湾曲駒２５が回動自在に連接されて湾曲自在な構成となっている。先端部本体２２の後端部分には、湾曲駒２５の内最先端に位置する湾曲駒２５の先端部分が嵌合している。この湾曲駒２５の外周は、金属の網管等からなるブレード２６、金属粉末等を含有するゴムにより形成された湾曲ゴム２７といった熱伝導性の高い部材で被覆されている。湾曲ゴム２７の先端部分は、糸巻き部２８により先端部本体２２に固定されている。
【００１９】
この先端部本体２２には段付き貫通孔２９が形成されており、この段付き貫通孔２９には、対物光学系ユニット２４が固定されている。
【００２０】
対物光学系ユニット２４を構成する枠体である第１レンズ枠３１には、カバーガラス３２を含む前群レンズ３６が装着されている。この第１レンズ枠３１の後端部は前群レンズ３６より後方へ延出しており、この延出部分の内周には絶縁部材３５が嵌入され、この絶縁部材３５の内側には後群レンズ枠３７の先端部分が嵌入されている。これにより、後群レンズ枠３７及び後群レンズ枠３７に接続される後方の部材を先端部本体２２から絶縁している。
【００２１】
第１レンズ枠３１と後群レンズ枠３７とは、同軸的に配設されており、この後群レンズ枠３７には、レーザーカットフィルタ３３、赤外線カットフィルタ３４等で構成される後群レンズ３８が装着されている。
【００２２】
前記第１レンズ枠３１、後群レンズ枠３７の内側には、フレアーやゴーストを防止するための複数のフレアー絞り４２が設けられており、また、前群レンズ３６内には、明るさ絞り４３が設けられている。
【００２３】
対物光学系ユニット２４は、一体的に構成されており、先端部本体２２の後方から段付き貫通孔２９に嵌入されて取り付けられている。第１レンズ枠３１の外周面には断面Ｖ字状の固定溝５７が形成されており、対向する先端部本体２２の部分に螺合する固定ネジ５８を径方向にねじ込み固定溝５７に当接させ、先端部本体２２と対物光学系ユニット２４とを固定している。
【００２４】
また、対物光学系ユニット２４は、固体撮像素子５９を有している。固体撮像素子５９と固体撮像素子５９の前方に配設される保護レンズ６１とは、素子枠６２の内周に嵌合して接着固定されている。素子枠６２は、後群レンズ枠３７に外嵌しており、ピント調整等の位置調整を行った後、接着剤により固定されている。
【００２５】
素子枠６２の基端側外周には、筒状に形成されて外周が絶縁カバー６３にて覆われたシールド枠６４の先端部が外嵌されて固定されている。
【００２６】
このシールド枠６４の基端側は固体撮像素子５９より後方へ延出しており、この後方へ延出された部位内の固体撮像素子５９の後方には、セラミック等により形成された回路基板６０が対物光学系ユニット２４の光軸と略平行に保持されている。
【００２７】
回路基板６０の前端側には、固体撮像素子５９の外部リード６５と半田付け等により接続するための外部リード用ランドが形成されており、回路基板６０は固体撮像素子５９の外部リード６５と半田等で接続されている。
【００２８】
また、回路基板６０の基端側には、複数の同軸線６６及び単純線６７により構成される信号ケーブル６８と半田付け等により接続される信号線接続用ランドが形成されており、回路基板６０は信号ケーブル６８と接続されている。
【００２９】
回路基板６０上には、封止樹脂により封止されているＩＣ６９が電気的に接続配線されており、回路基板６０、ＩＣ６９、信号ケーブル６８間で固体撮像素子５９を駆動するするための回路等が形成されている。
【００３０】
信号ケーブル６８は固体撮像素子５９から後方に延出した外部リード６５や回路基板６０上の信号線接続用ランド等に半田付け等によって接続されており、固体撮像素子５９を駆動する信号等が信号ケーブル６８で伝送される。
【００３１】
固体撮像素子５９を駆動する固体撮像素子駆動信号、固体撮像素子駆動電源等は、回路基板６０を経由して伝送されるようになっている。また、固体撮像素子５９から出力される画像信号は、回路基板６０を経由し、信号ケーブル６８で基端側へ伝送されるようになっている。
【００３２】
回路基板６０から後方へ延出する信号ケーブル６８の外周は、電子内視鏡１内に配設される他の内蔵物からダメージを受けたり他の内蔵物にダメージを与えたりすることを軽減するためのケーブル保護部材７２で被覆されている。
【００３３】
ケーブル保護部材７２の先端近傍は、糸４６で巻き回されて信号ケーブル６８に締め付けられ、ケーブル保護部材７２が信号ケーブル６８からずれないように接着固定されている。
【００３４】
図３に示すように、シールド枠６４の後端側は、隣り合う辺に舌片４４，４５が形成され、シールド枠６４から後方に延出している。本実施の形態では、舌片４５は、光軸に対し図３中の上方向に角度θだけ傾斜して形成されている。
【００３５】
信号ケーブル６８を覆うケーブル保護部材７２は、シールド枠６４の舌片４４、４５に接して接着剤等で固定されている。
【００３６】
本実施の形態では、舌片を２辺に形成しているが、１辺ないし４辺のどこに何個形成しても良い。また、傾斜させた舌片が無くてもよいし、傾斜させた舌片を２個以上形成しても良い。
【００３７】
一方、図２に示すように、シールド枠６４の内部には、例えば非導電性の充填剤７０が充填されており（図２中の丸印で埋められている部分）、固体撮像素子５９、回路基板６０、ＩＣ６９、信号ケーブル６８を封止している。
【００３８】
また、絶縁カバー６３の後端部には、非導電性の接着剤７１が充填されており（図２中の三角印で埋められている部分）、舌片４４，４５で形成される突出方向に信号ケーブル６８が強固に固定されている。
【００３９】
本実施の形態では、ケーブル保護部材７２は舌片４４，４５の内側に配設されているが、舌片４４，４５の外側から信号ケーブル６８を覆い、信号ケーブル６８の外側から糸等で強固に固定するように構成しても良い。
【００４０】
図１ないし図３を使用して説明した上記構成による作用・効果を以下に述べる。
【００４１】
本実施の形態では、画像信号を伝送する信号ケーブル６８の外周に被覆されて固定されたケーブル保護部材７２は、シールド枠６４に固定されている。また、シールド枠６４は、素子枠６２に固定されている。
【００４２】
これにより、回路基板６０や信号ケーブル６８や固体撮像素子５９の間の接続部分に生じる応力が軽減され、これらの接続部分での接触不良や断線を防ぐことができる。
【００４３】
また、本実施の形態では、シールド枠６４に舌辺４４、４５を形成し、舌辺４４、４５に信号ケーブル６８の外周に被覆されたケーブル保護部材７２を固定している。
【００４４】
これにより、ケーブル保護部材７２で被覆された信号ケーブル６８の突出方向を固定することができ、電子内視鏡１内の他の内蔵物と信号ケーブル６８との干渉を軽減することができる。
【００４５】
また、本実施の形態では、舌辺４５を光軸に対して傾斜角θだけ傾けて形成した。
【００４６】
これにより、ケーブル保護部材７２を電子内視鏡１の他の内蔵物例えばライトガイド等との干渉を避けるような方向に延出させることができ、挿入部２を細径化できる。
【００４７】
ところで、電子内視鏡１の操作部３に備えられたリモートスイッチ１２等の構成及び動作についての説明を以下に補足する。なお、以下の説明で述べていない部位の構成や動作は、図１ないし図３を使用して説明した部位の構成や動作と同様である。
【００４８】
図４を使用して、リモートスイッチ１２の配設されている操作部３の構成の一例を説明する。
【００４９】
図４は操作部のリモートスイッチ１２付近の構成を説明する説明図（（Ａ）、（Ｂ）、（Ｃ）はそれぞれ操作部を異なる方向から見た図）である。
【００５０】
図４に示すように、操作部３から延出するユニバーサルコード４は、操作部３内では、操作部３に形成された凸部４７に収納されている。
【００５１】
この凸部４７は、リモートスイッチ１２の各ＳＷを操作する際に、指の自由度が増すように、滑らかなＲ形状に形成されている。
【００５２】
また、操作部３とユニバーサルコード４との接続部分には、ユニバーサルコード４が急激に曲げられることを防止するための、略円錐状の弾性部材４８が設けられている。
【００５３】
この弾性部材４８と凸部４７との接続部分も段差が無い滑らかな形状に形成されている。
【００５４】
図４を使用して説明した上記構成では、操作部３の手で把持する側に配設されている部材の表面形状が滑らかに形成されており、部材間の接続部分の表面形状も段差が無い滑らかな形状に形成されている。
【００５５】
これにより、操作部３を把持する際の指の自由度が広がり、操作部３に配設されているリモートスイッチ１２等のスイッチ操作の操作性が向上する。
【００５６】
図５を使用して、リモートスイッチ１２の動作の一例を説明する。
【００５７】
図５はリモートスイッチ１２の動作を説明するフローチャートである。  図５を使用して説明するリモートスイッチ１２は４個のスイッチＳＷ１、ＳＷ２、ＳＷ３、ＳＷ４から構成されている。
【００５８】
図５に示すように、スイッチＳＷ４を押している時つまりＯＮ状態の時と押していない時つまりＯＦＦ状態の時で、スイッチＳＷ１、ＳＷ２、ＳＷ３に割り当てられる機能が切り替わるようになっている。
【００５９】
スイッチＳＷ４がＯＦＦ状態の時には、スイッチＳＷ１はフリーズの機能に割り当てられ、スイッチＳＷ２は測光の切り替えの機能に割り当てられ、スイッチＳＷ３は拡大の切り替えの機能に割り当てられている。
【００６０】
スイッチＳＷ４がＯＮ状態の時には、スイッチＳＷ１はレリーズの機能に割り当てられ、スイッチＳＷ２はプリンター出力の機能に割り当てられ、スイッチＳＷ３はＶＴＲのスタートとストップの制御を行う機能に割り当てられている。
【００６１】
図５を使用して動作を説明したリモートスイッチ１２を有する電子内視鏡１では、リモートスイッチ１２を構成する複数のスイッチの内１個のスイッチの状態により他のスイッチの機能が切り替わるようになっているので、スイッチの数より多くの機能をリモートスイッチ１２に割り当てることができ、スイッチのコスト削減をすることができる。例えば図５を使用して説明した例では、４個のスイッチＳＷ１、ＳＷ２、ＳＷ３、ＳＷ４に６つの機能が割り当てられている。この場合、スイッチ２個分のコスト削減をすることができる。
【００６２】
また、リモートスイッチ１２を構成するスイッチの数は４個に限らず、２個以上のいくつでもよい。例えばリモートスイッチ１２が３個のスイッチで構成されている場合には、４つの機能を割り当てることができる。この場合、スイッチ１個分のコスト削減をすることができる。
【００６３】
また、図５を使用して説明したスイッチは、操作部３のリモートスイッチ１２の配設されている箇所以外に配設されているスイッチを割り当ててもよい。
【００６４】
また、図５を使用して説明したスイッチは、図５に示す機能を割り当てて使用する場合に限らず、利用目的や使用者の操作性に合わせて、他の機能を割り当てて使用してもよい。
【００６５】
図６ないし図７を使用して、上記とは異なるリモートスイッチ１２の構成及び動作の一例を説明する。
【００６６】
図６はリモートスイッチ１２の動作を説明するフローチャート、図７はリモートスイッチ１２の状態を表示するモニタ画面の例である。
【００６７】
図６ないし図７を使用して説明するリモートスイッチ１２は２個のスイッチＳＷ１、ＳＷ２から構成されている。
【００６８】
図６に示すように、スイッチＳＷ２を押す毎につまりＳＷ２がＯＮ状態になる毎に、スイッチＳＷ１に割り当てられる機能が切り替わるようになっている。
【００６９】
図６に示す例では、スイッチＳＷ２を押す毎に、スイッチＳＷ１に割り当てられる機能が、フリーズの機能→レリーズの機能→ＶＴＲ記録の機能→プリンタ出力の機能→フリーズの機能の順に切り替わるようになっている。
【００７０】
例えば、スイッチＳＷ２を３回押してから、スイッチＳＷ１を押すつまりＯＮ状態にすると、プリンタ出力の機能が実行されるようになっている。
【００７１】
この時、モニタ８の画面には、スイッチＳＷ２によりスイッチＳＷ１に割り当てられた機能が表示されるようになっている。
【００７２】
図６ないし図７を使用して動作を説明したリモートスイッチ１２を有する電子内視鏡１では、リモートスイッチ１２を構成する２個のスイッチの内１個のスイッチＳＷ２を押す毎に他のスイッチＳＷ１に割り当てられる機能が切り替わるようになっているので、スイッチの数より多くの機能をリモートスイッチ１２に割り当てることができ、スイッチのコスト削減をすることができる。例えば図６ないし図７を使用して説明した例では、２個のスイッチＳＷ１、ＳＷ２に４つの機能が割り当てられている。この場合、スイッチ２個分のコスト削減をすることができる。
【００７３】
また、スイッチＳＷ２によりスイッチＳＷ１への割り当てを切り替えられる機能の数は４つに限らない。例えば５つの機能を切り替えられるようにしてもよい。この場合、スイッチ３個分のコスト削減をすることができる。
【００７４】
また、スイッチの数は２個に限らず、３個以上でもよい。例えば、３個のスイッチで構成される場合、１個のスイッチを押す毎に他の２個のスイッチにそれぞれ割り当てられる例えば４つの機能を切り替えられるようにしてもよい。この場合、スイッチ５個分のコスト削減をすることができる。
【００７５】
また、図６ないし図７を使用して動作を説明したリモートスイッチ１２を有する電子内視鏡１では、スイッチＳＷ２によりスイッチＳＷ１に現在割り当てられている機能がモニタ８に表示され、観察中に常にスイッチＳＷ１に割り当てられている機能を確認することができる。
【００７６】
図８を使用して、上記とは異なるリモートスイッチ１２の構成の一例を説明する。
【００７７】
図８は操作部のリモートスイッチ付近の構成を説明する説明図（（Ａ）、（Ｂ）はそれぞれ操作部を異なる方向から見た図）である。
【００７８】
リモートスイッチ１２は、押すボタン式のスイッチＳＷ１の他に、図８に示すように、操作部３に配設された切り替えレバー４９により構成されている。
【００７９】
切り替えレバー４９は、湾曲操作ノブ１５の回転軸を中心に回動するようになっている。
【００８０】
切り替えレバー４９は、例えば図８に示す例では４段階に切り替えられるようになっている。
【００８１】
切り替えレバー４９を切り替える際に切り替えレバー４９の位置する箇所の近傍の操作部３の表面には、例えば「１」，「２」，「３」，「４」といった指標５２が記されている。
【００８２】
ここで、例えば「１」の指標の近傍に切り替えレバー４９が位置している場合はスイッチＳＷ１にフリーズの機能が割り当てられ、同様に「２」の場合はれりーずの機能、「３」の場合はプリンタ出力の機能、「４」の場合はＶＴＲ記録の機能が割り当てられている。
【００８３】
ここで、例えば切り替えレバー４９を「３」の指標の近傍に位置させ、スイッチＳＷ１を押すと、プリンタ出力の機能が実行されるようになっている。
【００８４】
なお、切り替えレバー４９により切り替えられる段数は４段階に限らず、何段階でもよい。
【００８５】
また、切り替えレバー４９によりスイッチＳＷ１に割り当てられる機能の種類は、上記の機能に限らず、利用目的や使用者の操作性に合わせて任意の機能を割り当ててもよい。
【００８６】
また、切り替えレバー４９によりスイッチＳＷ１に割り当てられている機能の状態は、図７に示すようにモニタ８に表示するようにしてもよい。
【００８７】
また、切り替えレバー４９以外のスイッチは１個に限らず、２個以上であってもよい。
【００８８】
また、切り替えレバー４９は、２段階以上の状態を切り替えられるスライド式のスイッチに組み替えてもよい。
【００８９】
図８を使用して動作を説明したリモートスイッチ１２を有する電子内視鏡１では、切り替えレバー４９を操作する感触により、スイッチＳＷ１に現在割り当てられている機能を知ることができ操作性がよい。また、切り替えレバー４９に対する１回の操作でスイッチＳＷ１に割り当てる機能を切り替えることができ操作性がよい。
【００９０】
図９ないし図１０を使用して、上記のリモートスイッチ１２とは異なるリモートスイッチの構成の一例を説明する。
【００９１】
図９は操作部と挿入部の接続部分の構成を説明する断面図、図１０はリモートスイッチを検知する構成を説明するブロック図である。
【００９２】
図９に示すように、可撓管部１１は、内側から一重ないしは三重のフープ材５３、金属により形成された網状管５４、ポリウレタン等の樹脂により形成された外装チューブ５５からなっている。
【００９３】
可撓管部１１の後端側には後側口金５６が外嵌され、接着固定されている。
【００９４】
後側口金５６の外周には、後側口金５６と可撓管部１１とに跨って、熱収縮チューブ７３が被覆されて固定されている。
【００９５】
後側口金５６には、操作部３から延出されたつなぎ管７４が外嵌され、固定リング７５で固定されている。
【００９６】
操作部３と可撓管部１１との接続部分には、可撓管部１１が急激に曲げられることを防止するための略円錐状の弾性部材５０が、つなぎ管７４を被覆して設けられている。また、弾性部材５０の外周を覆うように弾性カバー５１が設けられている。
【００９７】
弾性部材５０には、リング状の圧力センサ７６が内蔵されており、予め設定した圧力以上の圧力を感知すると、電気信号を出力するようになっている。
【００９８】
図１０に示すように、圧力センサ７６から出力された電気信号は、ビデオプロセッサ７内に設けられた圧力検知回路７８に入力され、予め設定した圧力以上の圧力が加えられたことを検知するようになっている。
【００９９】
ここで、圧力センサ７６に圧力が加えられた時、頻繁に使用する機能例えばフリーズ機能が作動するようにビデオプロセッサ７を構成することにより、可撓管部１１と操作部３との接続部分の圧力センサ７６が配設されている箇所に例えば操作者が握力を加えたり曲げたりすることでフリーズ機能を作動できる。つまり、圧力センサ７６をリモートスイッチとして使用することができる。
【０１００】
圧力センサ７６により作動する機能はフリーズの機能に限らず、他の任意の機能を割り当ててもよい。
【０１０１】
また、可撓管部１１を大きく曲げた場合に、電子内視鏡１に損傷を与える恐れがある旨の注意を促すためのメッセージをモニタ８上に表示させるようにしてもよい。
【０１０２】
また、圧力センサ７６は、圧力センサに限らず、機械的に曲げや押圧を検出してスイッチ等で電気信号を出力するものに組み替えてもよい。
【０１０３】
図９ないし図１０を使用して構成を説明したリモートスイッチを有する電子内視鏡１では、例えば操作者が一方の手で挿入部２を把持し他方の手で湾曲操作ノブ１５を操作しながら挿入部２を観察部位に挿入している際に、両手を使って弾性部材５０を曲げるようにすることで例えばフリーズ機能等を作動でき、スイッチ操作のために操作部３を持ち替えたりしなくても済み、操作性よく被写体を撮影することができる。
【０１０４】
なお、本発明は、発明の実施の形態で述べた構成や動作のみに限定されるものではなく、発明の要旨を逸脱しない範囲で種々変形実施可能である。
【０１０５】
例えば、電子内視鏡１は、図３で先端部９の構成を示すような直視型のものに限らず、側視型のものであってもよいし、前方斜視型のものであってもよいし、後方斜視型のものであってもよい。
【０１０６】
[付記]
（１）観察対象部位の像を撮像する固体撮像素子と、
前記固体撮像素子を保持する枠体である素子枠と、
前記固体撮像素子を駆動する回路を構成する回路基板と、
前記素子枠に接続され且つ前記回路基板を保護するシールド枠と、
前記固体撮像素子で撮像した像の画像信号を伝送する信号ケーブルと、
を有する内視鏡であって、
前記信号ケーブルを前記シールド枠に固定したこと
を特徴とする内視鏡。
【０１０７】
（２）前記シールド枠に少なくとも１つの舌片を設け、
前記舌辺に前記信号ケーブルを固定したこと
を特徴とする付記（１）に記載の内視鏡。
【０１０８】
（３）前記舌片は光軸に対して傾斜する傾斜部を有し、
前記傾斜部に前記信号ケーブルを固定したこと
を特徴とする付記（１）ないし付記（２）に記載の内視鏡。
【０１０９】
【発明の効果】
以上説明したように本発明によれば、信号ケーブルをシールド枠に設けられた舌片に固定することによって信号ケーブルの突出方向を固定することができるので、回路基板や信号ケーブルや固体撮像素子の間の接続部分に生じる応力を軽減し、これらの接続部分での接触不良や断線を防ぐことができる。
【図面の簡単な説明】
【図１】図１ないし図３は本発明の第１の実施の形態に係り、図１は電子内視鏡の構成図（（Ａ）は電子内視鏡の本体、（Ｂ）は外部接続装置類）
【図２】先端部の構成を説明する一部断面図を含む説明図
【図３】対物光学系ユニットと信号ケーブルの接続部分の構成を説明する説明図
【図４】操作部のリモートスイッチ付近の構成を説明する説明図（（Ａ）、（Ｂ）、（Ｃ）はそれぞれ操作部を異なる方向から見た図）
【図５】リモートスイッチの動作を説明するフローチャート
【図６】リモートスイッチの動作を説明するフローチャート
【図７】リモートスイッチの状態を表示するモニタ画面の例
【図８】操作部のリモートスイッチ付近の構成を説明する説明図（（Ａ）、（Ｂ）はそれぞれ操作部を異なる方向から見た図）
【図９】操作部と挿入部の接続部分の構成を説明する断面図
【図１０】リモートスイッチを検知する構成を説明するブロック図
【符号の説明】
１…電子内視鏡
２…挿入部
３…操作部
４…ユニバーサルコード
５…コネクタ部
６…光源装置
７…ビデオプロセッサ
８…モニタ
９…先端部
１０…湾曲部
１１…可撓管部
１２…リモートスイッチ
１３…送気・送水ボタン
１４…吸引ボタン
１５…湾曲操作ノブ
１６…ライトガイド端部
１７…電気コネクタ
１８…接続コード
１９…加圧管
２０…送気管
２１…吸引口金
２２…先端部本体
２３…先端カバー
２４…対物光学系ユニット
２５…湾曲駒
２６…ブレード
２７…湾曲ゴム
２８…糸巻き部
２９…段付き貫通孔
３１…第１レンズ枠
３２…カバーガラス
３３…レーザーカットフィルタ
３４…赤外線カットフィルタ
３５…絶縁部材
３６…前群レンズ
３７…後群レンズ枠
３８…後群レンズ
４２…フレアー絞り
４３…明るさ絞り
４４…舌辺
４５…舌辺
４６…糸
４７…凸部
４８…弾性部材
４９…切り替えレバー
５０…弾性部材
５１…弾性カバー
５２…指標
５３…フープ材
５４…網状管
５５…外装チューブ
５６…後側口金
５７…固定溝
５８…固定ネジ
５９…固体撮像素子
６０…回路基板
６１…保護レンズ
６２…素子枠
６３…絶縁カバー
６４…シールド枠
６５…外部リード
６６…同軸線
６７…単純線
６８…信号ケーブル
６９…ＩＣ
７０…充填剤
７１…接着剤
７２…ケーブル保護部材
７３…熱収縮チューブ
７４…つなぎ管
７５…固定リング
７６…圧力センサー
【図１】
0003898838.tif 000002
【図２】
0003898838.tif 000003
【図３】
0003898838.tif 000004
【図４】
0003898838.tif 000005
【図５】
0003898838.tif 000006
【図６】
0003898838.tif 000007
【図７】
0003898838.tif 000008
【図８】
0003898838.tif 000009
【図９】
0003898838.tif 000010
【図１０】
0003898838.tif 000011